(57)【要約】【課題】簡単な構成で、長さ方向及び幅方向の寸法の異なるカードのうち、寸法の小さいカードを装置内のカード装着空間の所定位置に適切に装着すること。【解決手段】カードＡ及びこのカードＡよりも長さ方向及び幅方向の寸法が小さいカードＢの何れか一方を選択的に装着可能なカード装着空間が形成されるハウジング（ケース２、カバー部材３）と、カード装着空間へのカードＢの挿入時に当該カードＢの幅方向の一端部をガイドする一方、カードＡの挿入時に当該カードＡにより押し上げられて当該カードＡの上面を付勢する弾性片３０２とを具備することを特徴とする。【選択図】図３
2009181703.tif 000002
【特許請求の範囲】
【請求項１】
第１カード及びこの第１カードよりも長さ方向及び幅方向の寸法が小さい第２カードの何れか一方を選択的に装着可能なカード装着空間が形成されるハウジングと、前記カード装着空間への前記第２カードの挿入時に当該第２カードの幅方向の一端部をガイドする一方、前記第１カードの挿入時に当該第１カードにより押し上げられて当該第１カードの上面を付勢する弾性片とを具備することを特徴とするカード用コネクタ装置。
【請求項２】
前記弾性片を、前記ハウジングの一部で形成したことを特徴とする請求項１記載のカード用コネクタ装置。
【請求項３】
前記カード装着空間への前記第１カードの挿入時に当該第１カードの幅方向の両端部をガイドする一対のガイド部を前記ハウジングに設け、前記ガイド部の一方で前記第２カードの幅方向の他端部をガイドすることを特徴とする請求項１又は請求項２記載のカード用コネクタ装置。
【請求項４】
前記カード装着空間に挿入される前記第１、第２カードと共にスライド移動可能なスライド部材と、前記第１、第２カードの挿入方向と直交する方向にスライド移動可能に前記スライド部材に連結され、前記第１カードの装着時に前記カード装着空間内のカード挿入経路から退避する一方、前記第２カードの装着時に前記カード挿入経路上に位置して前記第２カードの前端部と当接するストッパ部材とを備え、前記ストッパ部材は、前記第１カードの前端部が当接する前記スライド部材の当接部に当接する当接片を有することを特徴とする請求項１から請求項３のいずれかに記載のカード用コネクタ装置。
【請求項５】
前記ストッパ部材を前記スライド部材に対してスライド移動可能に連結するレバー部材を備え、前記レバー部材の前記カード挿入経路上への進入を規制する規制部を前記スライド部材に設けたことを特徴とする請求項４記載のカード用コネクタ装置。
【請求項６】
前記スライド部材の規制部は、前記レバー部材側に向けて形成された凸部であり、前記レバー部材に形成された凹部と係合することを特徴とする請求項５記載のカード用コネクタ装置。
【発明の詳細な説明】
【技術分野】
【０００１】
本発明は、カード用コネクタ装置に関し、特に、幅方向の寸法が異なる２種類のカードが装着可能なカード用コネクタ装置に関する。
【背景技術】
【０００２】
従来、長さ方向の寸法が異なり、幅方向の寸法が同一の２種類のカードが装着可能なカード用コネクタ装置が提案されている（例えば、特許文献１参照）。特許文献１に記載のカード用コネクタ装置においては、カードの挿入に伴ってスライド移動可能なスライド部材と、このスライド部材に支持され、カードの挿入方向と直交する方向にスライド移動可能なストッパ部材とを備え、長さ寸法の大きいカードの挿入時にはストッパ部材をカード挿入経路から退避させる一方、長さ寸法の小さいカードの挿入時にはストッパ部材をカード挿入経路上に配置させることで双方のカードの装着を可能としている。
【特許文献１】特開２００７−１６５２２９号公報
【発明の開示】
【発明が解決しようとする課題】
【０００３】
ところで、現在、このようなカード用コネクタ装置に装着されるカードの形状は多岐に亘っており、その長さ方向及び幅方向の寸法もカードの種類によって異なっている。このため、このような長さ方向及び幅方向の寸法が異なるカードを装置内のカード装着空間の所定位置に適切に装着可能なカード用コネクタ装置が要請されている。
【０００４】
一般に、このような寸法の異なるカードに対応するカード用コネクタ装置においては、長さ方向及び幅方向の寸法が小さいカードを適切に装着することが困難である場合が多い。これは、寸法が大きいカードに比べて小さいカードを位置決めすることが困難であることに起因すると考えられる。このため、このようなカード用コネクタ装置においては、寸法が小さいカードをカード装着空間の所定位置に適切に装着することが要求される。
【０００５】
特に、現在、装着されるカードの寸法は縮小されており、これに伴ってカード用コネクタ装置にも薄型化又は小型化が要求されている。このため、複雑な構成を必要とすることなく、寸法の異なるカードをカード装着空間の所定位置に適切に装着することが重要となる。
【０００６】
本発明はかかる実情に鑑みてなされたものであり、簡単な構成で、長さ方向及び幅方向の寸法の異なるカードのうち、寸法の小さいカードを装置内のカード装着空間の所定位置に適切に装着することができるカード用コネクタ装置を提供することを目的とする。
【課題を解決するための手段】
【０００７】
本発明のカード用コネクタ装置は、第１カード及びこの第１カードよりも長さ方向及び幅方向の寸法が小さい第２カードの何れか一方を選択的に装着可能なカード装着空間が形成されるハウジングと、前記カード装着空間への前記第２カードの挿入時に当該第２カードの幅方向の一端部をガイドする一方、前記第１カードの挿入時に当該第１カードにより押し上げられて当該第１カードの上面を付勢する弾性片とを具備することを特徴とする。
【０００８】
上記カード用コネクタ装置によれば、ハウジング内のカード装着空間に挿入された第１カードの上面を付勢することで第１カードのカード装着空間からの飛び出しを防止する弾性片で寸法の小さい第２カードの一端部をガイドすることから、特別な部材を設けることなく第２カードをガイドすることができるので、簡単な構成で、長さ方向及び幅方向の寸法の異なるカードのうち、寸法の小さい第２カードを装置内のカード装着空間の所定位置に適切に装着することが可能となる。
【０００９】
上記カード用コネクタ装置においては、前記弾性片を、前記ハウジングの一部で形成することが好ましい。この場合には、ハウジングの一部を利用して寸法の小さい第２カードの一端部をガイドすることができるので、より簡単な構成で、長さ方向及び幅方向の寸法の異なるカードのうち、寸法の小さい第２カードを装置内のカード装着空間の所定位置に適切に装着することが可能となる。
【００１０】
また、上記カード用コネクタ装置においては、前記カード装着空間への前記第１カードの挿入時に当該第１カードの幅方向の両端部をガイドする一対のガイド部を前記ハウジングに設け、前記ガイド部の一方で前記第２カードの幅方向の他端部をガイドすることが好ましい。この場合には、第１カードをガイドするためのガイド部を第２カードの他端部のガイドに利用することから、装置内の構成を簡素化すると共に、弾性片によるガイド機能と合わせて使用することにより効果的に寸法の小さい第２カードをカード装着空間の所定位置に装着することが可能となる。
【００１１】
また、上記カード用コネクタ装置においては、前記カード装着空間に挿入される前記第１、第２カードと共にスライド移動可能なスライド部材と、前記第１、第２カードの挿入方向と直交する方向にスライド移動可能に前記スライド部材に連結され、前記第１カードの装着時に前記カード装着空間内のカード挿入経路から退避する一方、前記第２カードの装着時に前記カード挿入経路上に位置して前記第２カードの前端部と当接するストッパ部材とを備え、前記ストッパ部材は、前記第１カードの前端部が当接する前記スライド部材の当接部に当接する当接片を有することが好ましい。この場合には、第２カードが挿入された場合にカード挿入経路上に配置されるストッパ部材に、第１カードの前端部が当接するスライド部材の当接部に当接する当接片を設けたことから、カード装着空間における一定位置以上の第２カードの進入を規制することができるので、長さ方向の寸法が小さい第２カードをカード装着空間の所定位置に装着することが可能となる。
【００１２】
さらに、上記カード用コネクタ装置においては、前記ストッパ部材を前記スライド部材に対してスライド移動可能に連結するレバー部材を備え、前記レバー部材の前記カード挿入経路上への進入を規制する規制部を前記スライド部材に設けることが好ましい。この場合には、スライド部材に設けられた規制部により、レバー部材のカード挿入経路への進入が規制されるので、レバー部材がカード挿入経路上に進入することでカード装着空間に対する第１、第２カードの挿入を阻害する事態を防止することが可能となる。
【００１３】
例えば、上記カード用コネクタ装置において、前記スライド部材の規制部は、前記レバー部材側に向けて形成された凸部であり、前記レバー部材に形成された凹部と係合する。この場合には、スライド部材に形成された凸部と、レバー部材に形成された凹部という簡単な構成でレバー部材のカード挿入経路への進入を規制することが可能となる。
【発明の効果】
【００１４】
本発明によれば、ハウジング内のカード装着空間に挿入された第１カードの上面を付勢することで第１カードのカード装着空間からの飛び出しを防止する弾性片で寸法の小さい第２カードの一端部をガイドすることから、特別な部材を設けることなく第２カードをガイドすることができるので、簡単な構成で、長さ方向及び幅方向の寸法の異なるカードのうち、寸法の小さいカードを装置内のカード装着空間の所定位置に適切に装着することが可能となる。
【発明を実施するための最良の形態】
【００１５】
以下、本発明の一実施の形態について添付図面を参照して詳細に説明する。なお、本実施の形態に係るカード用コネクタ装置（以下、単に「コネクタ」という）１は、幅方向の寸法が異なる２種類のカードの何れか一方を選択的に装着可能に構成されている。ここで、本実施の形態に係るコネクタ１の構成について説明する前に、コネクタ１に装着される２種類のカードについて説明する。
【００１６】
図１、図２は、それぞれ本実施の形態に係るコネクタ１に装着される第１カードとしてのカードＡの上面図、第２カードとしてのカードＢの上面図である。なお、図１及び図２においては、同図に示す上方側がそれぞれのカードＡ、Ｂの挿入方向である。図１に示すように、カードＡは、挿入方向に沿った長さ方向の寸法がＡ１であり、幅方向の寸法がＡ２に設定されている。一方、図２に示すように、カードＢは、長さ方向の寸法が、カードＡのＡ１よりも短いＢ１に設定され、幅方向の寸法が、カードＡのＡ２よりも短いＢ２に設定されている。
【００１７】
図１に示すように、カードＡには、側方側の端部に段差部Ａ３が設けられている。そして、図１に示す左方側の段差部Ａ３には、１つの切り欠き部Ａ４が形成され、右方側の段差部Ａ３には、２つの切り欠き部Ａ５が形成されている。また、カードＡにおける挿入方向の後端部の近傍には、コネクタ１からカードＡを抜き取る際にユーザに把持される摘み部Ａ６が設けられている。本実施の形態に係るコネクタ１においては、段差部Ａ３を、カードＡを挿入する際に利用する。なお、カードＡの前方側端部近傍の下面には、信号を送受信するための複数の接触パッド（不図示）が設けられている。
【００１８】
一方、カードＢには、図２に示すように、側方側の端部に段差部Ｂ３が設けられ、同図に示す左方側の段差部Ｂ３に１つの切り欠き部Ｂ４が形成され、右方側の段差部Ｂ３には、２つの切り欠き部Ｂ５が形成されている。なお、カードＢには、摘み部に相当する構成は設けられていない。本実施の形態に係るコネクタ１においては、段差部Ｂ３をカードＢを挿入する際に利用し、切り欠き部Ｂ５を装着されたカードＢが抜けるのを防止するために利用する。なお、カードＢの前方側端部近傍の下面には、信号を送受信するための複数の接触パッド（不図示）が設けられている。
【００１９】
図３は、本実施の形態に係るコネクタ１の外観を示す斜視図である。なお、以下においては、適宜、図３に示す紙面上方側を「コネクタ１の前方側」又は単に「前方側」と呼び、同図に示す紙面下方側を「コネクタ１の後方側」又は単に「後方側」と呼ぶものとする。また、図３に示す紙面右方側を「コネクタ１の右方側」又は単に「右方側」と呼び、同図に示す紙面左方側を「コネクタ１の左方側」又は単に「左方側」と呼ぶものとする。
【００２０】
図３に示すように、本実施の形態に係るコネクタ１は、合成樹脂材料などの絶縁材料を成型して形成されるケース２と、金属薄板材料に打ち抜き加工及び折り曲げ加工などを施して形成されるカバー部材３とを備えている。ケース２は、概して偏平な直方体形状を有しており、その上方側及び前方側に開口した空間を有している。カバー部材３は、ケース２の上方側の開口部に対応する形状を有しており、ケース２の上方側から被せられる。これらを組み合わせることにより、コネクタ１は、前方側にのみ開口した形状となり、この開口部でカード挿入口４が構成される。なお、カバー部材３は、合成樹脂材料などの絶縁材料を成型して形成しても良い。本実施の形態においては、これらのケース２と、カバー部材３とでハウジングが構成される。
【００２１】
カバー部材３の上面には、コネクタ１の後方側端部近傍で後述するカード挿入経路に対応する位置に開口部３０１が形成されている。この開口部３０１の左方側に、複数の弾性片３０２、３０３が形成されている。これらの弾性片３０２、３０３は、カバー部材３の一部を僅かに下方側に折り曲げて形成されている。弾性片３０２は、詳細について後述するように、カードＢの左方側の一端部をガイドすると共に、カードＡの上面を付勢する役割を果たす。一方、弾性片３０３は、コネクタ１の内部に配置された後述する係止部材５０８を上方側から付勢する。カバー部材３の側面には、後述するケース２の係合片２０５と係合する複数の開口部３０４が形成されている。複数の開口部３０４にケース２の係合片２０５が係合することで、ケース２に対してカバー部材３が固定されることとなる。
【００２２】
以下、本実施の形態に係るコネクタ１の内部の構成について説明する。図４及び図５は、本実施の形態に係るコネクタ１の内部の構成を説明するための斜視図及び上面図である。図６は、図４及び図５に示すコネクタ１を前方側から示す図である。なお、図４、図５及び図６においては、図３に示す状態のコネクタ１からカバー部材３を取り除いた場合について示している。
【００２３】
図４及び図５に示すように、ケース２は、コネクタ１の底面部を構成するベース部２０１と、コネクタ１の側端部にてベース部２０１から上方側に垂直に立設された側壁部２０２と、コネクタ１の前方側端部にてベース部２０１から上方側に垂直に立設された奥壁部２０３とを有している。これらのベース部２０１と、側壁部２０２及び奥壁部２０３とにより、カードＡ、Ｂが装着可能な空間（以下、「カード装着空間」という）が形成される。なお、ベース部２０１には、詳細について後述するように、２種類のカードに対応するコンタクトが設けられている。
【００２４】
左方側の側壁部２０２の後方側部分は、コネクタ１の内側に突出した形状を有しており、後述する係止部材５０８の一端を係止する係止穴２０４が形成されている。この係止穴２０４は、係止部材５０８の後方側の一端が上方側から差し込まれるように構成されている。また、側壁部２０２の外側面には、カバー部材３の開口部３０４と係合する複数の係合片２０５が形成されている。
【００２５】
さらに、側壁部２０２の後端部の内側面は、カード挿入口４の一部を規定するものであり、カードＡの挿入をガイドする一対のガイド部２０６が形成されている。これらのガイド部２０６は、図６に示すように、側壁部２０２の上端側に形成されており、挿入時におけるカードＡの側面及び上面をガイドするように構成されている。なお、右方側のガイド部２０６は、カードＢの右方側の側面に当接し、カードＢの挿入をガイドする機能を併せ持っている。これらの一対のガイド部２０６の内側にカードＡ、Ｂのカード挿入経路が設けられている。
【００２６】
奥壁部２０３の内壁面であって、左方側端部の近傍には、不図示の付勢ばねの一端を係止する係止片２０７が設けられている。係止片２０７は、概して円柱形状を有しており、コネクタ１の後方側に一定長さだけ延出している。係止片２０７により係止される付勢ばねは、後述するスライド部材５をコネクタ１の後方側に付勢し、コネクタ１からカードＡ、Ｂを排出する際の付勢力を担うものである。
【００２７】
ケース２内のカード装着空間には、カードＡ、Ｂの挿入に伴ってコネクタ１の前後方向にスライド移動可能なスライド部材５が配設されている。スライド部材５は、概してコ字形状を有しており、コネクタ１の左方側に配置される部分に後述するストッパ部材６及びレバー部材７が配設され、右方側に配置される部分に後述する板ばね部材８が配設されている。なお、これらのスライド部材５等の構成については後述する。
【００２８】
ここで、ケース２のベース部２０１に設けられるコンタクトについて説明する。図７は、本実施の形態に係るコネクタ１のケース２に設けられるコンタクトの構成を説明するための上面図である。なお、図７においては、図５に示す状態のコネクタ１からスライド部材５及びその周辺の構成要素を取り除いた場合について示している。
【００２９】
図７に示すように、ベース部２０１には、前後方向に並んで２つの開口部２０８、２０９が形成されている。開口部２０８の前方側端面には、コネクタ１の左右方向に整列して複数のカードＡ用のコンタクト（以下、適宜「カードＡ用コンタクト」という）２１０が設けられている。カードＡ用コンタクト２１０は、基端部がベース部２０１に固定される一方、先端部がコネクタ１の後方側であって僅かに上方側に延出し、一定範囲で上下方向に揺動可能となっている。また、カードＡ用コンタクト２１０の先端部は、下方側に折り曲げられており、その折曲部近傍でカードＡの接触パッドと接触するように構成されている。なお、カードＡ用コンタクト２１０の前方側端部は、奥壁部２０３の外壁面から前方側に導出されている。
【００３０】
また、カードＡ用コンタクト２１０に対応する位置に、カードＡ用コンタクト２１０を保護する保護板２１１が配設されている。この保護板２１１は、前方側端部に設けられた軸部でベース部２０１に保持され、その後方側端部を一定範囲で揺動可能に設けられている。保護板２１１には、コネクタ１の左右方向に整列して複数のスリット２１２が形成されている。カードＡ用コンタクト２１０の先端部は、これらのスリット２１２を介して上方側に露出可能に構成されている。
【００３１】
開口部２０８の後方側端面には、コネクタ１の左右方向に整列して複数のカードＢ用のコンタクト（以下、適宜「カードＢ用コンタクト」という）２１３が設けられている。カードＢ用コンタクト２１３は、基端部がベース部２０１に固定される一方、先端部がコネクタ１の前方側であって僅かに上方側に延出し、一定範囲で上下方向に揺動可能となっている。また、カードＢ用コンタクト２１３の先端部は、カードＡ用コンタクト２１０と同様に、下方側に折り曲げられており、その折曲部近傍でカードＢの接触パッドと接触するように構成されている。なお、カードＢ用コンタクト２１３の後方側端部は、ベース部２０１を通って開口部２０９の前方側端面から後方側に導出されている。
【００３２】
ここで、カード装着空間に配設されるスライド部材５及びその周辺の構成要素の構成について説明する。図８、図９及び図１０は、それぞれ本実施の形態に係るコネクタ１が有するスライド部材５及びその周辺の構成要素の構成を説明するための斜視図、上面図及び下面図である。なお、図８〜図１０においては、コネクタ１に対してカードが装着されていない初期状態におけるこれらの構成要素について示している。
【００３３】
図８〜図１０に示すように、スライド部材５の左方側部分の上面には、ストッパ部材６及びレバー部材７が連結されている。また、スライド部材５の右方側部分には、板ばね部材８が設けられている。ストッパ部材６は、一定範囲内でコネクタ１の左右方向（カードＡ、Ｂの挿入方向と直交する方向）にスライド移動可能にスライド部材５に連結されている。また、レバー部材７は、一定範囲内でその前方側端部を揺動可能にスライド部材５に連結されている。ストッパ部材６は、レバー部材７と連結されており、互いに一体的に移動するように構成されている。
【００３４】
以下、スライド部材５、ストッパ部材６及びレバー部材７の構成について図８〜図１０を参照しつつ、図１１〜図１４を用いて説明する。図１１及び図１２は、それぞれ本実施の形態に係るコネクタ１が有するスライド部材５の上面図及び下面図である。図１３（ａ）、（ｂ）は、それぞれ本実施の形態に係るコネクタ１が有するストッパ部材６及びレバー部材７の上面図及び下面図である。図１４（ａ）、（ｂ）は、本実施の形態に係るコネクタ１が有するストッパ部材６及びレバー部材７の側面図である。なお、図１３及び図１４においては、ストッパ部材６とレバー部材７とが連結された状態について示している。また、図１４においては、それぞれストッパ部材６及びレバー部材７を左方側及び右方側から見た場合の側面図を示している。
【００３５】
スライド部材５は、合成樹脂材料などの絶縁材料を成型して形成される。図１１に示すように、スライド部材５は、コネクタ１の左右方向に延在し、カードＡの前端部が当接する当接部５０１と、この当接部５０１の左方側端部からコネクタ１の後方側に延出するスライド構造部５０２と、当接部５０１の右方側端部からコネクタ１の後方側に延出する板ばね保持部５０３とを有している。スライド部材５は、これらの当接部５０１と、スライド構造部５０２と、板ばね保持部５０３とで概してコ字形状を有している。
【００３６】
スライド構造部５０２は、その上面に、平板形状を有し、ストッパ部材６及びレバー部材７を収容する収容部５０４と、この収容部５０４よりも後方側に設けられ、後述する係止部材５０８の前方側の一端をガイドするガイド部５０５とを有している。また、スライド構造部５０２は、図１２に示すように、その下面に、上述した付勢ばねの後方側の端部を収容する収容部５０６と、その後方側端部を係止する係止片５０７とを有している。ケース２の係止片２０７に前方側の一端が係止された付勢ばねの後方側の一端を係止片５０７で係止することにより、付勢ばねの付勢力がスライド部材５に作用するものとなっている。
【００３７】
収容部５０４は、後述するストッパ部材６の当接片６０２を収容する第１収容部５０４ａと、後述するストッパ部材６の本体部６０１を収容する第２収容部５０４ｂとを有している。第１収容部５０４ａは、当接部５０１よりも僅かに低くなっており、左方側に移動してきた当接片６０２を収容する。第２収容部５０４ｂには、コネクタ１の左右方向に沿ってスリット５０４ｃが形成されている。このスリット５０４ｃには、後述するストッパ部材６の突出片６０１ｂが係合する。第２収容部５０４ｂは、スリット５０４ｃに沿って左方側に移動してきた本体部６０１を収容する。また、第２収容部５０４ｂの右方側端部の上面であって、スリット５０４ｃよりも後方側の所定位置に規制部としての凸部５０４ｄが設けられている。この凸部５０４ｄは、後述するレバー部材７の凹部７０３と係合し、レバー部材７の一定位置以上の移動を規制する。
【００３８】
ガイド部５０５の中央領域には、概してハート形状を有するハート形カム５０５ａが設けられている。ガイド部５０５は、ハート形カム５０５ａの左方側に配置される第１ガイド溝５０５ｂ、右方側に配置される第２ガイド溝５０５ｃ、並びに、第１及び第２ガイド溝５０５ｂ、ｃに連結され、後述する係止部材５０８の一端を係止する係止部を有する凹み溝５０５ｄで構成される。
【００３９】
これらのガイド溝５０５ｂ〜ｄに、一端がケース２の係止穴２０４に係止された係止部材５０８の他端が係止される（図４参照）。係止部材５０８は、このようなガイド溝５０５ｂ〜ｄをカードＡ、Ｂの挿入動作に応じて一定方向に進むように構成されている。また、係止部材５０８が凹み溝５０５ｄの係止部に係止された状態の場合にカードＡ、Ｂがロック状態とされる。なお、このガイド溝５０５ｂ〜ｄにおける係止部材５０８の案内経路上には、係止部材５０８の逆方向への進行を防止する段差部が形成されている。
【００４０】
板ばね保持部５０３において、板ばね８は、スライド部材５の製造時にインサート成形される。板ばね保持部５０３に保持される板ばね８は、後方側に延出する。そして、コネクタ１の後方側の先端部近傍において、下方側に突出するように折り曲げ加工が施された係合部８０１を有している。この係合部８０１は、カードＢの挿入動作に応じてカードＢの切り欠き部Ｂ５と係合し、カードＢの飛び出しを防止する役割を果たす。
【００４１】
ストッパ部材６は、合成樹脂材料などの絶縁材料を成型して形成され、スライド部材５の上方側に配設される。図１３に示すように、ストッパ部材６は、コネクタ１の左方側で後方側に延出する本体部６０１と、コネクタ１の右方側で前方側に延出する当接片６０２とを有している。本体部６０１には、図１３（ａ）に示すように、その上面に後述するレバー部材７の長孔７０１と係合する軸６０１ａが設けられ、同図（ｂ）に示すように、その下面にスライド部材５のスリット５０４ｃと係合する突出片６０１ｂが設けられている。
【００４２】
また、図１４に示すように、本体部６０１は、当接片６０２よりも下方側に設けられ、連結されたレバー部材７の下方側領域に配置される。当接片６０２は、その上面が連結されたレバー部材７の上面と略同一の高さに配置される。なお、スライド部材５に連結された状態において、ストッパ部材６の当接片６０２における前方側端部は、図８〜図１０に示すように、スライド部材５の当接部５０１の後方側の端面に当接する位置に配置されている。
【００４３】
一方、レバー部材７は、図１３に示すように、コネクタ１の前後方向に一定長さを有し、その後方側部分が僅かに左方側に曲げられた形状を有する。レバー部材７の前方側部分には、ストッパ部材６の軸６０１ａを収容する長孔７０１が形成されている。また、図１３（ｂ）に示すように、レバー部材７の後方側部分には、その下面にスライド部材５に回転可能に支持される軸７０２が設けられている（図１４（ａ）参照）。さらに、レバー部材７の中央よりも僅かに下方側部分の下面には、コネクタ１の右方側に開口した凹部７０３が設けられている（図１４（ｂ）参照）。この凹部７０３は、スライド部材７の凸部５０４ｄに対応する位置に設けられている。
【００４４】
レバー部材７の下面において、凹部７０３の後方側部分には、不図示の捻りばねの一端を係止する係止溝７０４が設けられている。捻りばねの一端を係止溝７０４で係止する一方、他端をスライド部材５の所定位置に係止させることにより、レバー部材７は、前方側端部をコネクタ１の右方側に付勢した状態でスライド部材５に取り付けられる。レバー部材７に加わる付勢力により、ストッパ部材６もコネクタ１の右方側に付勢された状態とされる。そして、スライド部材５の凸部５０４ｄと凹部７０３の内壁との当接によりレバー部材７の移動が規制される。この係止溝７０４よりも後方側部分には、カードＡの前端部が当接する斜面部７０５が設けられている。
【００４５】
このような構成を有し、本実施の形態に係るコネクタ１は、幅方向の寸法の異なるカードＡ、Ｂの装着を許容するものである。具体的には、コネクタ１は、カードＡの装着時には、ストッパ部材６をカード挿入経路から退避させ、カードＡをカード装着空間の所定位置まで挿入させる一方、カードＢの装着時には、ストッパ部材６をカード挿入経路上に配置し、カードＢをカード装着空間の所定位置まで挿入させる。以下、本実施の形態に係るコネクタ１に対してカードＡ、Ｂを装着する際の動作について説明する。
【００４６】
まず、本実施の形態に係るコネクタ１に対してカードＡを装着する際の動作について説明する。図１５〜図１９は、本実施の形態に係るコネクタ１にカードＡを装着する際の動作について説明するための図である。なお、説明の便宜上、図１７を除き、カバー部材３の表示を省略している。図１５は、コネクタ１にカードＡを挿入した状態の上面図である。図１６は、コネクタ１に挿入されたカードＡを押し込んだ状態の上面図である。図１７は、図１６に示す状態のコネクタ１の外観を示す上面図である。図１８は、コネクタ１に挿入されたカードＡがロックされた状態（装着された状態）の上面図である。図１９は、コネクタ１に挿入されたカードＡを更に押し込んだ状態の上面図である。
【００４７】
カードＡが挿入される前の状態においては、コネクタ１の内部において、スライド部材５は、不図示の付勢ばねの付勢力に応じてコネクタ１の後方側に付勢された状態とされている。また、レバー部材７は、不図示の捻りばねの付勢力により、その前方側端部が右方側に付勢されている。これに伴い、ストッパ部材６は、カード挿入経路上に配置された状態とされている。さらに、係止部材５０８の前方側の一端は、ガイド部５０５の第１ガイド溝５０５ｂの前方側端部近傍に配置されている（図１５参照）。
【００４８】
なお、この状態において、レバー部材７は、その凹部７０３と、スライド部材５に設けられる凸部５０４ｄとの接触によりカード挿入経路上への進入が規制されている。これにより、レバー部材７がカード挿入経路上に進入することでカード装着空間に対するカードＡ、Ｂの挿入を阻害する事態を防止することが可能となっている。特に、本実施の形態においては、スライド部材５の凸部５０４ｄと、レバー部材７の凹部７０３という簡単な構成でレバー部材７のカード挿入経路への進入の規制を実現している。
【００４９】
コネクタ１に装着する際、カードＡは、一対のガイド部２０６の側面及び下面にカードＡの段差部Ａ３を接触させた状態で挿入される。このようにガイド部２０６にカードＡを接触させた状態で挿入することにより、カードＡをコネクタ１内のカード挿入経路に適切に挿入することが可能となる。なお、図１５においては、コネクタ１に挿入されたカードＡの前方側端部（前端部）の左方側端部がレバー部材７の斜面部７０５に当接した時点の状態について示している。
【００５０】
図１５に示す状態から、カードＡを前方側に押し込むと、カードＡの前端部によりレバー部材７の斜面部７０５が押し込まれる。これにより、図１６に示すように、レバー部材７の前方側端部が反時計回転方向に回転し、これに伴ってストッパ部材７が左方側にスライド移動する。なお、図１６においては、レバー部材７の回転に伴ってストッパ部材６がカード挿入経路上から左方側に退避し、カードＡの前端部がスライド部材５の当接部５０１に当接した状態について示している。
【００５１】
なお、このようにコネクタ１にカードＡが挿入される際、図１７に示すように、カバー部材３の弾性片３０２は、カードＡの左方側端部の上面を付勢している。具体的には、カードＡの挿入に伴って押し上げられ、その上面を付勢した状態となっている。したがって、コネクタ１に挿入されている間、カードＡには、弾性片３０２の付勢力が加わることとなる。このため、例えば、カードＡの排出時において、コネクタ１からカードＡが飛び出す事態を防止することが可能となる。
【００５２】
図１６に示す状態から、更にカードＡを前方側に押し込むと、図１８に示すように、カードＡの移動に伴い、付勢ばねの付勢力に抗してスライド部材５が前方側に押し込まれる。スライド部材５が前方側に押し込まれると、係止部材５０８がガイド部５０５の第２ガイド溝５０５ｃ上を後方側に移動し、凹み溝５０５ｄの係止部に入り込むことでカードＡが装着された状態（ロック状態）とされる。なお、図１８においては、係止部材５０８がガイド部５０５の凹み溝５０５ｄにおける係止部に係止され、カードＡがコネクタ１にロックされた状態について示している。
【００５３】
図１８に示すように、カードＡがロック状態とされた場合、カードＡの下面に設けられた接触パッドと、カードＡ用コンタクト２１０とが接触した状態とされ、カードＡとの間で信号の送受信が可能となる。なお、このとき、スライド部材５は、ケース２の奥壁部２０３から僅かに離間した位置に配置されている。
【００５４】
図１８に示す状態から、カードＡを抜き取る際には、図１９に示すように、カードＡが更に前方側に押し込まれる。このように押し込まれると、係止部材５０８の前端部がガイド部５０５の凹み溝５０５ｄの係止部から出る。そして、ユーザがカードＡに対する押圧を解除すると、付勢ばねの付勢力に応じてスライド部材５が後方側に押し出され、図１６に示す状態に戻る。この状態から摘み部Ａ６をユーザが把持してコネクタ１の後方側に引っ張ることで、カードＡをコネクタ１から抜き取ることが可能となる。
【００５５】
次に、本実施の形態に係るコネクタ１に対してカードＢを装着する際の動作について説明する。図２０〜図２３は、本実施の形態に係るコネクタ１にカードＢを装着する際の動作について説明するための図である。なお、説明の便宜上、図２１を除き、カバー部材３の表示を省略している。図２０は、コネクタ１に挿入されたカードＢを押し込んだ状態の上面図である。図２１は、図２０に示す状態のコネクタ１の外観を示す上面図である。図２２は、コネクタ１に挿入されたカードＢがロックされた状態（装着された状態）の上面図である。図２３は、コネクタ１に挿入されたカードＢを更に押し込んだ状態の上面図である。
【００５６】
カードＢが挿入される前の状態においては、コネクタ１の内部において、スライド部材５は、不図示の付勢ばねの付勢力に応じてコネクタ１の後方側に付勢された状態とされている。また、レバー部材７は、不図示の捻りばねの付勢力により、その前方側端部が右方側に付勢されている。これに伴い、ストッパ部材６は、カード挿入経路上に配置された状態とされている。さらに、係止部材５０８の前方側の一端は、ガイド部５０５の第１ガイド溝５０５ｂの前方側端部近傍に配置されている（図２０参照）。
【００５７】
コネクタ１に装着する際、カードＢは、その右方側の段差部Ｂ３を右方側のガイド部２０６の側面及び下面に接触させた状態で挿入される。このとき、カバー部材３の弾性片３０２は、図２１に示すように、カードＢの左方側の段差部Ｂ３に対して左方側から接触することでカードＢをガイドしている。すなわち、カードＢは、右方側の側面をガイド部２０６でガイドされる一方、左方側の側面を弾性片３０２でガイドされることとなる。これにより、カードＢをコネクタ１内のカード挿入経路に適切に挿入することが可能となる。
【００５８】
このようにカードＢをガイド部２０６と弾性片３０２とに接触させた状態で挿入した場合、カードＢの左方側の側面がレバー部材７に接触することはない。したがって、ストッパ部材６がスライド移動することもないことから、ストッパ部材６は、カード挿入経路上に配置された状態のままとされる。このため、カードＢが押し込まれると、カードＢの前端部は、直接、ストッパ部材６の当接片６０２の後端部に当接することとなる。なお、図２０においては、コネクタ１に挿入されたカードＢの前端部の左方側端部がストッパ部材６の当接片６０２の後端部に当接した時点の状態について示している。このとき、板ばね部材８の係合部８０１は、カードＢの切り欠き部Ｂ５に入り込むことでカードＢを仮止めし、カードＢの飛び出しが防止される。
【００５９】
図２０に示す状態から、更にカードＢを前方側に押し込むと、図２２に示すように、カードＢの移動に伴い、ストッパ部材６の当接片６０２が前方側に押し込まれる。当接片６０２の前方側端部は、スライド部材５の当接部５０１に接触していることから、当接片６０２が押し込まれると、付勢ばねの付勢力に抗してスライド部材５が前方側に押し込まれる。スライド部材５が前方側に押し込まれると、係止部材５０８がガイド部５０５の第２ガイド溝５０５ｃ上を後方側に移動し、凹み溝５０５ｄの係止部に入り込むことでカードＢが装着された状態（ロック状態）とされる。なお、図２２においては、係止部材５０８がガイド部５０５の凹み溝５０５ｄにおける係止部に係止され、カードＢがコネクタ１にロックされた状態について示している。
【００６０】
図２２に示すように、カードＢがロック状態とされた場合、カードＢの下面に設けられた接触パッドと、カードＢ用コンタクト２１３とが接触した状態とされ、カードＢとの間で信号の送受信が可能となる。なお、このとき、スライド部材５は、カードＡのロック状態と同様に、ケース２の奥壁部２０３から僅かに離間した位置に配置されている。また、カードＢは、スライド部材５の当接部５０１に当接した当接片６０２の後端部に当接した位置に配置されている。
【００６１】
このように本実施の形態に係るコネクタ１においては、カードＢが挿入された場合にカード挿入経路上に配置されるストッパ部材６に、スライド部材５の当接部５０１に当接する当接片６０２を設けたことから、カード装着空間における一定位置以上のカードＢの進入を規制することができるので、長さ方向の寸法が小さいカードＢをカード装着空間の所定位置に装着することが可能となる。
【００６２】
図２２に示す状態から、カードＢを抜き取る際には、図２３に示すように、カードＢが更に前方側に押し込まれる。このように押し込まれると、係止部材５０８の前端部がガイド部５０５の凹み溝５０５ｄの係止部から出る。そして、ユーザがカードＢに対する押圧を解除すると、付勢ばねの付勢力に応じてスライド部材５が後方側に押し出され、図２０に示す状態とされる。この状態からカードＢの後端部近傍をユーザが把持してコネクタ１の後方側に引っ張ることで、カードＢをコネクタ１から抜き取ることが可能となる。
【００６３】
このように本実施の形態に係るコネクタ１によれば、カード装着空間に挿入されたカードＡの上面を付勢することでカードＡのカード装着空間からの飛び出しを防止する弾性片３０２で寸法の小さいカードＢの一端部をガイドすることから、特別な部材を設けることなくカードＢをガイドすることができるので、簡単な構成で、長さ方向及び幅方向の寸法の異なるカードのうち、寸法の小さいカードＢを装置内のカード装着空間の所定位置に適切に装着することが可能となる。
【００６４】
特に、本実施の形態に係るコネクタ１においては、弾性片３０２を、ハウジングを構成するカバー部材３の一部で形成している。従って、カバー部材３の一部を利用して寸法の小さいカードＢの一端部をガイドすることができるので、より簡単な構成で、長さ方向及び幅方向の寸法の異なるカードのうち、寸法の小さいカードＢを装置内のカード装着空間の所定位置に適切に装着することが可能となる。
【００６５】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【図面の簡単な説明】
【００６６】
【図１】本発明の一実施の形態に係るコネクタに装着されるカードＡの上面図である。
【図２】上記実施の形態に係るコネクタに装着されるカードＢの上面図である。
【図３】上記実施の形態に係るコネクタの外観を示す斜視図である。
【図４】上記実施の形態に係るコネクタの内部の構成を説明するための斜視図である。
【図５】上記実施の形態に係るコネクタの内部の構成を説明するための上面図である。
【図６】図４及び図５に示すコネクタを前方側から示す図である。
【図７】上記実施の形態に係るコネクタのケースに設けられるコンタクトの構成を説明するための上面図である。
【図８】上記実施の形態に係るコネクタが有するスライド部材及びその周辺の構成要素の構成を説明するための斜視図である。
【図９】上記実施の形態に係るコネクタが有するスライド部材及びその周辺の構成要素の構成を説明するための上面図である。
【図１０】上記実施の形態に係るコネクタが有するスライド部材及びその周辺の構成要素の構成を説明するための下面図である。
【図１１】上記実施の形態に係るコネクタが有するスライド部材の上面図である。
【図１２】上記実施の形態に係るコネクタが有するスライド部材の下面図である。
【図１３】上記実施の形態に係るコネクタが有するストッパ部材及びレバー部材の上面図及び下面図である。
【図１４】上記実施の形態に係るコネクタが有するストッパ部材及びレバー部材の側面図である。
【図１５】上記実施の形態に係るコネクタにカードＡを装着する際の動作について説明するための図である。
【図１６】上記実施の形態に係るコネクタにカードＡを装着する際の動作について説明するための図である。
【図１７】上記実施の形態に係るコネクタにカードＡを装着する際の動作について説明するための図である。
【図１８】上記実施の形態に係るコネクタにカードＡを装着する際の動作について説明するための図である。
【図１９】上記実施の形態に係るコネクタにカードＡを装着する際の動作について説明するための図である。
【図２０】上記実施の形態に係るコネクタにカードＢを装着する際の動作について説明するための図である。
【図２１】上記実施の形態に係るコネクタにカードＢを装着する際の動作について説明するための図である。
【図２２】上記実施の形態に係るコネクタにカードＢを装着する際の動作について説明するための図である。
【図２３】上記実施の形態に係るコネクタにカードＢを装着する際の動作について説明するための図である。
【符号の説明】
【００６７】
１  カード用コネクタ装置（コネクタ）
２  ケース
２０１  ベース部
２０２  側壁部
２０３  奥壁部
２０４  係止穴
２０５  係合片
２０６  ガイド部
２０７  係止片
２０８、２０９  開口部
２１０  カードＡ用コンタクト
２１１  保護板
２１２  スリット
２１３  カードＢ用コンタクト
３  カバー部材
３０１  開口部
３０２、３０３  弾性片
３０４  開口部
３０４  係合片
４  カード挿入口
５  スライド部材
５０１  当接部
５０２  スライド構造部
５０３  板ばね保持部
５０４  収容部
５０４ａ  第１収容部
５０４ｂ  第２収容部
５０４ｃ  スリット
５０４ｄ  凸部
５０５  ガイド部
５０６  収容部
５０７  係止片
５０８  係止部材
６  ストッパ部材
６０１  本体部
６０１ａ  軸
６０１ｂ  突出片
６０２  当接片
７  レバー部材
７０１  長孔
７０２  軸
７０３  凹部
７０４  係止溝
７０５  斜面部
【図１】
2009181703.tif 000003
【図２】
2009181703.tif 000004
【図３】
2009181703.tif 000005
【図４】
2009181703.tif 000006
【図５】
2009181703.tif 000007
【図６】
2009181703.tif 000008
【図７】
2009181703.tif 000009
【図８】
2009181703.tif 000010
【図９】
2009181703.tif 000011
【図１０】
2009181703.tif 000012
【図１１】
2009181703.tif 000013
【図１２】
2009181703.tif 000014
【図１３】
2009181703.tif 000015
【図１４】
2009181703.tif 000016
【図１５】
2009181703.tif 000017
【図１６】
2009181703.tif 000018
【図１７】
2009181703.tif 000019
【図１８】
2009181703.tif 000020
【図１９】
2009181703.tif 000021
【図２０】
2009181703.tif 000022
【図２１】
2009181703.tif 000023
【図２２】
2009181703.tif 000024
【図２３】
2009181703.tif 000025